(57)【要約】  本発明の一態様の群管理制御装置は、複数台のかごについて割当て評価値を算出し、その割当て評価値に基づいて新たな乗場呼びに割り当てるかごを選択する際に、新たな乗場呼びが発生したときにかごが満員通過することが予測される既登録呼びの登録階がある場合には、かごが既登録呼びの登録階に到着するまでの予測時間として、新たな乗場呼びが発生してから、かごが既登録呼びの登録階を二周目に既登録呼びの登録階に到着するまでの予測時間を算出し、二周目の予測時間を該当かごの割当て評価値に反映する。
2019111359.tif 000002
【特許請求の範囲】
【請求項１】
複数階床のそれぞれに設けられ乗場呼びを発生する乗場呼び発生装置から乗場呼び情報を収集する乗場呼び情報収集部と、
複数台のかごの運行状況に関するかご情報を収集するかご情報収集部と、
複数台のかごの各々について、前記乗場呼び情報及び前記かご情報に基づいて、少なくとも新たな乗場呼びが発生してから各かごが新規及び既登録の各乗場呼びの登録階床に到着するまでの予測時間を反映した割当て評価値を算出し、前記割当て評価値に基づいて、前記新たな乗場呼びに割り当てるかごを選択する割当かご選択部と、を備え、
前記割当かご選択部は、前記新たな乗場呼びが発生したときに前記かごが満員通過することが予測される既登録の乗場呼びの登録階床がある場合には、前記かごが前記既登録の乗場呼びの登録階床に到着するまでの予測時間として、前記新たな乗場呼びが発生してから、前記かごが前記既登録の乗場呼びの登録階床を一周目で通過した後に二周目に前記既登録の乗場呼びの登録階床に到着するまでの予測時間を算出し、前記二周目の予測時間を該当かごの前記割当て評価値に反映する
群管理制御装置。
【請求項２】
さらに、前記乗場呼び情報及び前記かご情報に基づいて複数台の前記かごの利用者の交通情報を検出する交通情報検出部と、
前記乗場呼び情報、各かごの前記かご情報、及び前記交通情報に基づいて、少なくとも前記新たな乗場呼びが発生してから各かごが各登録階床に到着するまでの一周目の予測時間と二周目の予測時間の情報を格納した到着予測時間テーブルを作成及び更新する到着予測時間テーブル作成部と、
前記かご情報と前記到着予測時間テーブルに基づいて、前記かごが前記乗場呼びの登録階床に到達するときに満員が予測されるか否かを判定する満員判定部と、を備え、
前記割当かご選択部は、前記満員判定部の判定結果に基づいて、前記新たな乗場呼びの発生によって前記かごが満員通過することが予測される前記既登録の乗場呼びの登録階床があると判断した場合には、前記到着予測時間テーブルに格納された該当かごが各階床に到着するまでの前記二周目の予測時間に基づいて前記既登録の乗場呼びに対する待ち時間評価値を算出し、前記待ち時間評価値を前記割当て評価値に反映する
請求項１に記載の群管理制御装置。
【請求項３】
前記割当かご選択部は、前記新たな乗場呼びが発生したときに前記既登録の乗場呼びの登録階床を満員通過することが予測される前記かごがある場合には、該当かごに前記新たな乗場呼びを割り当てない
請求項１に記載の群管理制御装置。
【請求項４】
前記割当かご選択部は、前記新たな乗場呼びが発生したときに前記既登録の乗場呼びの登録階床を満員通過することが予測される前記かごがある場合には、該当かごとは異なるかごに前記新たな乗場呼びを割り当てる
請求項３に記載の群管理制御装置。
【請求項５】
複数階床のそれぞれに設けられた乗場呼びを発生する乗場呼び発生装置から乗場呼び情報を収集するステップと、
複数台のかごの運行状況に関するかご情報を収集するステップと、
複数台のかごの各々について、前記乗場呼び情報及び前記かご情報に基づいて、少なくとも新たな乗場呼びが発生してから各かごが新規及び既登録の各乗場呼びの登録階床に到着するまでの予測時間を反映した割当て評価値を算出し、前記割当て評価値に基づいて、前記新たな乗場呼びに割り当てるかごを選択するステップと、
前記新たな乗場呼びが発生したときに前記かごが満員通過することが予測される既登録の乗場呼びの登録階床があるか否かを判断するステップと、
前記かごが満員通過することが予測される既登録の乗場呼びの登録階床があると判断した場合には、前記かごが前記既登録の乗場呼びの登録階床に到着するまでの予測時間として、前記新たな乗場呼びが発生してから、前記かごが前記既登録の乗場呼びの登録階床を一周目で通過した後に二周目に前記既登録の乗場呼びの登録階床に到着するまでの予測時間を算出するステップと、
前記二周目の予測時間を該当かごの前記割当て評価値に反映するステップと、を含む
群管理制御方法。
【発明の詳細な説明】
【技術分野】
【０００１】
本発明は、複数台のエレベーターの運行を管理する群管理制御装置、及び群管理制御方法に関する。
【背景技術】
【０００２】
従来、展望室やレストラン街のある上層階での利用人数が多いと低層階では満員通過が発生しやすい。上層階での利用人数が途切れない場合、再度上層階の乗場呼びを受けて到着したかごに利用者が乗り込んでかご内が満員状態になる。そのため、低層階での満員通過が連続で発生し、エレベーターが到着しない時間が長期化することがある。このような低層階の利用者の待ち時間の長期化の問題に対して、低層階の利用者の待ち時間を減らす技術が提案されている。【０００３】
例えば、特許文献１に記載の発明は、新規ホール呼び（新規乗場呼び）に対してエレベーターを割当てる際に、各エレベーターの到着予測時間を演算する場合、エレベーターが複数周期サービスするとして複数周期分の到着時間を予測演算し、その結果をそれぞれ予測到着時間テーブルに記録する。そして、特許文献１に記載の発明は、新規ホール呼びを予測到着時間テーブルを用いて、最も早くサービス可能なエレベーターを選択割当てする。【０００４】
この特許文献１には、「前述のように到着予測時間テーブルに複数周期分の予測到着時間を登録しておくことにより、交通需要の多い時間帯にも最適な呼び割当て選択が行われるので、エレベーターのサービス水準の低下を防止できホール待ち客に長待ちを感じさせない制御が実現できる。」と記載されている。
【先行技術文献】
【特許文献】
【０００５】
【特許文献１】特開平８−１１９５４５号公報
【発明の概要】
【発明が解決しようとする課題】
【０００６】
しかしながら、特許文献１に記載の技術は、サービス階を分割（急行ゾーンを設定）することにより、満員通過が発生する既登録呼びの登録階にサービスするというものであり、急行ゾーンの分割によってサービスが低下する階床が発生する。【０００７】
本発明は、上記の状況を考慮してなされたものであり、サービス階を分割（急行ゾーンを設定）することなく、満員通過が発生する既登録呼びの登録階の利用者の待ち時間の長期化を抑制することを目的とする。
【課題を解決するための手段】
【０００８】
本発明の一態様の群管理制御装置は、複数階床のそれぞれに設けられ乗場呼びを発生する乗場呼び発生装置から乗場呼び情報を収集する乗場呼び情報収集部と、複数台のかごの運行状況に関するかご情報を収集するかご情報収集部と、複数台のかごの各々について、乗場呼び情報及びかご情報に基づいて、少なくとも新たな乗場呼びが発生してから各かごが新規及び既登録の各乗場呼びの登録階床に到着するまでの予測時間を反映した割当て評価値を算出し、その割当て評価値に基づいて、新たな乗場呼びに割り当てるかごを選択する割当かご選択部と、を備える。
上記割当かご選択部は、新たな乗場呼びが発生したときにかごが満員通過することが予測される既登録の乗場呼びの登録階床がある場合には、かごが既登録の乗場呼びの登録階床に到着するまでの予測時間として、新たな乗場呼びが発生してから、該当かごが既登録の乗場呼びの登録階床を一周目で通過した後に二周目に既登録の乗場呼びの登録階床に到着するまでの予測時間を算出し、二周目の予測時間を該当かごの割当て評価値に反映する。
【発明の効果】
【０００９】
本発明の少なくとも一態様によれば、サービス階を分割（急行ゾーンを設定）することなく、満員通過が発生する既登録呼びの登録階の利用者の待ち時間の長期化を抑制することができる。上記した以外の課題、構成及び効果は、以下の実施形態の説明により明らかにされる。
【図面の簡単な説明】
【００１０】
【図１】本発明の一実施形態に係る群管理エレベーターシステムの例を示す全体構成図である。
【図２】本発明の一実施形態に係る計算機のハードウェア構成例を示すブロック図である。
【図３】本発明の一実施形態に係るかご位置と乗場呼びの例を示す説明図である。
【図４】本発明の一実施形態に係るかごが各階床に到着するまでの予測時間の例を示す説明図である。
【図５】かごの運転例を示す説明図であり、図５Ａは従来のかごの運転例を示し、図５Ｂは本発明の一実施形態に係るかごの運転例を示す。
【図６】本発明の一実施形態に係る新たな乗場呼びを複数台のかごのいずれかに割当てる処理の例を示すフローチャートである。
【図７】本発明の一実施形態に係る他人待ち時間評価値の算出処理の例を示すフローチャートである。
【発明を実施するための形態】
【００１１】
以下、本発明を実施するための形態（以下、「実施形態」と記述する）の例について、添付図面を参照しながら説明する。本明細書及び添付図面において実質的に同一の機能又は構成を有する構成要素については、同一の符号を付して重複する説明を省略する。
【００１２】
＜１．一実施形態＞
［群管理エレベーターシステムの全体構成］
図１は、本発明の一実施形態に係る群管理エレベーターシステムの例を示す全体構成図である。
ビル内に設置される群管理エレベーターシステム３は、例えば、不図示のエレベーター機械室に設置されるエレベーター制御装置１と、図示しない昇降路内に設置され、エレベーター制御装置１によって運行が管理される３台のかご４１〜４３と、を備える。かご４１〜４３には、それぞれ１号機から３号機まで順に号機番号が割当てられる。
【００１３】
また、群管理エレベーターシステム３は、かご４１〜４３のサービス階床（図１では９階を例示）毎に、乗場呼びボタン１０、ホールランタン（予約灯）９１〜９３と、ホールドア１０１〜１０３とを備える。以下の説明では、かご４１〜４３、ホールドア１０１〜１０３を区別しない場合には、符号無しでそれぞれ「かご」、「ホールドア」と呼ぶことがある。また、本実施形態においては、かごの数を３台としたが、かごの数は複数台であればよい。
【００１４】
１号機のかご４１内には、利用者が行先階を登録する情報端末装置５１と、かご４１の現在位置を表示するかご位置表示装置６１が設置されている。かご４１の床面の下部には、かご４１内に乗り込んだ利用者の荷重を検出する荷重センサー７１が設置されている。また、２号機のかご４２内には、利用者が行先階を登録する情報端末装置５２と、かご４２の現在位置を表示するかご位置表示装置６２が設置されている。かご４２の床面の下部には、かご４２内に乗り込んだ利用者の荷重を検出する荷重センサー７２が設置されている。同様に、３号機のかご４３内には、利用者が行先階を登録する情報端末装置５３と、かご４３の現在位置を表示するかご位置表示装置６３が設置され、かご４３の床面の下部には、かご４３内に乗り込んだ利用者の荷重を検出する荷重センサー７３が設置されている。
【００１５】
乗場呼びボタン１０は、乗場呼び発生装置の一例である。乗場呼びボタン１０は、サービス階床の乗場の近くに設置され、一例として押しボタン式の操作子が用いられる。乗場呼びボタン１０は、利用者が上の階への移動を希望するときに操作する上ボタンと、利用者が下の階への移動を希望するときに操作する下ボタンを備える。そして、利用者が乗場呼びボタン１０を操作することにより、乗場呼びボタン１０が乗場呼び信号を生成し該当階床において乗場呼びが発生する。図１では、利用者が乗場呼びボタン１０を操作して、エレベーター制御装置１に乗場呼びを登録したものとして説明する。
【００１６】
ホールランタン９１〜９３は、かご４１〜４３のサービス階床となる各階の乗場のホールドア１０１〜１０３に設けられ、号機制御装置３１〜３３からの信号によって点灯し、かご４１〜４３の進行方向を利用者に知らせる。ホールランタン９１〜９３は、上方向及び下方向のみを表示するものであってもよく、また、かご４１〜４３の現在地を表示するものであってもよい。ホールドア１０１〜１０３は、かご４１〜４３のサービス階床となる各階の乗場において、各かご４１〜４３へのそれぞれの出入り口に設けられている。
【００１７】
エレベーター制御装置１は、群管理制御装置２と、３台のかご４１〜４３と同数の号機制御装置３１〜３３とを備える。群管理制御装置２は、乗場呼びボタン１０で発生した乗場呼びに割り当てられる一台のかごを、かご４１〜４３から選択する。そして、群管理制御装置２は、号機制御装置３１〜３３を通じて、かご４１〜４３の昇降、かご位置表示装置６１〜６３の表示、及びホールランタン９１〜９３の表示等を制御する。
【００１８】
号機制御装置３１〜３３は、かご情報収集部２２にかご情報を送信する。以下の説明では、号機制御装置３１〜３３を区別しない場合には、符号無しで「号機制御装置」と呼ぶ。
【００１９】
群管理制御装置２は、乗場呼び情報収集部２１と、かご情報収集部２２と、交通情報検出部２３と、到着予測時間テーブル作成部２４と、満員判定部２５と、割当かご選択部２６を備えている。
【００２０】
乗場呼び情報収集部２１は、利用者が乗場呼びボタン１０を操作することにより発生した乗場呼び信号から乗場呼び情報を収集する。乗場呼び情報には、乗場呼びが発生した階床を示す登録階情報、及び希望移動方向を示す希望移動方向情報が含まれる。登録階情報は、利用者による操作が行われた乗場呼びボタン１０が設置された階床（登録階）を示す情報であり、例えば登録階がロビー階であることが登録階情報から判明する。また、希望移動方向情報は、利用者が乗場呼びボタン１０を操作して発生させた、登録階から乗り込む利用者が希望する移動方向を示す情報である。そして、乗場呼び情報収集部２１により収集された乗場呼び情報は、交通情報検出部２３と到着予測時間テーブル作成部２４に送られる。
【００２１】
かご情報収集部２２は、号機制御装置３１〜３３から送信された各かご４１〜４３のかご情報を収集する。かご情報には、例えば、号機制御装置３１〜３３から送信されるかご４１〜４３の位置、移動方向、及び荷重センサー７１〜７３から求められるかご４１〜４３内の利用者の荷重（満員度若しくは混雑度）等のかごの運行状況に関する情報が含まれる。そして、かご情報収集部２２により収集されたかご４１〜４３のかご情報は、交通情報検出部２３、到着予測時間テーブル作成部２４、及び満員判定部２５に送られる。
【００２２】
交通情報検出部２３は、乗場呼び情報収集部２１で収集された乗場呼び情報と、かご情報収集部２２で収集されたかご４１〜４３のかご情報とから、群管理エレベーターシステム３の利用者の交通情報を検出する。そして、交通情報検出部２３により検出された交通情報は、到着予測時間テーブル作成部２４に送られる。
【００２３】
この交通情報検出部２３は学習系であり、かご４１〜４３の日々の運行状態（運行状況に関する情報）から現在の交通状況を認識することができる。交通情報検出部２３では、かご位置や乗降人数等のかごの利用情報や行先階情報に基づいて交通状況を学習し、その時点でどのような運転プログラムが適しているかを判断している。このため、かご情報（及び別途外部装置から入力されるビル内の人の流れを示す階床別乗降人数など）から、ビル内の代表的な交通状況を示す特徴モードのいずれかに属するかを判断する。
【００２４】
特徴モードとは、下りと上りの交通情報により、ある個数分の区分けした交通状況の状態を示すものである。通常、オフィスビルの場合、上り下りともに乗降人数が少ない交通状況は閑散、上りの乗降人数が多い交通状況はアップピーク、下りの乗降人数が多い交通状況はダウンピークと呼ばれる。また、特徴モードはビルの性質によって特徴があり、収集した交通状況から新しい特徴が抽出されることがある。交通情報検出部２３は、新しい特徴を抽出した場合には、このビル固有の特徴モードとして生成、登録し、また、その他の特徴モードの変化の傾向を学習している。
【００２５】
到着予測時間テーブル作成部２４は、乗場呼び情報、かご４１〜４３のかご情報、及び交通情報検出部２３で検出されたビル内の利用者の交通情報に基づいて、新たな乗場呼びが発生してから各かご４１〜４３が各階床に到着するまでの一周目の予測時間と二周目の予測時間の情報を格納した到着予測時間テーブル（図４参照）を作成する。到着予測時間テーブル作成部２４は、新たな乗場呼びが発生する度、もしくは定期的に各階床の到着時間を予測し、最新の到着予測時間の情報で到着予測時間テーブルの情報を更新する。この到着予測時間テーブルには、少なくとも新たな乗場呼びが発生してから各かご４１〜４３が新規の乗場呼び（本人呼び）及び既登録の乗場呼び（他人呼び）の各登録階床に到着するまでの、一周目の予測時間二周目の予測時間の情報が含まれていればよい。そして、到着予測時間テーブル作成部２４により作成された到着予測時間テーブル（又は到着予測時間テーブルに格納された各情報）は、満員判定部２５及び割当かご選択部２６に送られる。
【００２６】
満員判定部２５は、かご４１〜４３のかご情報と到着予測時間テーブルに基づいて、かご４１〜４３が乗場呼びの登録階床に到達するときに満員が予測されるか否かを判定する。例えば満員判定部２５は、荷重センサーの測定結果から、現在かごの床にかかる荷重が最大積載荷重（満員時の荷重）の何％であるかを計算することで、乗りかご２の満員状態を検知できる。満員であると判断する閾値が１００％（又はマージンを持たせて９０％）である場合には、荷重センサーで測定された荷重が最大積載荷重の１００％（又は９０％）を超えると、かご内は満員であると判定される。閾値は満員時の最大積載荷重［ｋｇ］でもよい。
【００２７】
さらに、かご内の満員状態を判定する方法として、乗りかご２内を撮影する不図示のカメラ（監視カメラ）を用いることもできる。カメラの撮影画像に対して画像処理（例えば人認識処理）を行い、画像処理の結果が所定の条件を満たす場合に、かご内が満員であると判定してもよい。人認識処理としては、例えば画像から人の顔を抽出することで人を検出する技術がある。なお、人だけではなく、荷物や車椅子等の物体によってかご内に空きスペースがない又は少ない場合にも、満員状態であると判定するようにしてもよい。
【００２８】
割当かご選択部２６は、新たな乗場呼びが発生すると、かご４１〜４４の各々について、乗場呼び情報及びかご情報に基づいて、少なくとも新たな乗場呼びが発生してから該当かごが新規及び既登録の各乗場呼びの登録階床に到着するまでの予測時間を反映した割当て評価値を算出する。本実施形態において割当て評価値が最小である号機のかごは、かごが新規及び既登録の乗場呼びの登録階に到着するまでの利用者の待ち動時間の合計が最小となる。
【００２９】
例えば割当かご選択部２６は、到着予測時間テーブル作成部２４により作成（更新）された到着予測時間テーブルと、満員判定部２５の判定結果（満員度若しくは混雑度）に基づいて、かご４１〜４３毎に割当て評価値を算出する。そして、割当かご選択部２６は、各かご４１〜４３の割当て評価値に基づいて、かご４１〜４３の中から新たな乗場呼びを割り当てるかごを選択する。
【００３０】
このとき、割当かご選択部２６は、新たな乗場呼びが発生したときにかごが満員通過することが予測される既登録の乗場呼びの登録階床がある場合には、かごが既登録の乗場呼びの登録階床に到着するまでの予測時間として、二周目到着予測時間を算出する。二周目到着予測時間は、新たな乗場呼びが発生してから、かごが既登録の乗場呼びの登録階床を一周目で通過した後に二周目にその既登録の乗場呼びの登録階床に戻ってくるまでの予測時間である。割当かご選択部２６は、この二周目到着予測時間を、該当かごの割当て評価値に反映する。
【００３１】
このように、割当かご選択部２６は、満員判定部２５の判定結果に基づいて、新たな乗場呼びが発生したときにかごが満員通過することが予測される既登録の乗場呼びの登録階床があると判断した場合には、到着予測時間テーブルに格納された該当かごが各階床に到着するまでの二周目の予測時間に基づいて既登録の乗場呼びに対する待ち時間評価値（図６の他人待ち時間評価値）を算出する。そして、割当かご選択部２６は、その待ち時間評価値を割当て評価値に反映する。
【００３２】
そして、割当かご選択部２６は、満員判定部２５の判定結果と、到着予測時間テーブルに格納されたかごが各階床に到着するまでの予測時間とに基づいて、総待ち時間が短くなるように複数のかごから選択した一のかごに新たな乗場呼びを割当てる。
【００３３】
新たな乗場呼びが一のかごに割当てられることにより、乗場呼びが割当てられたかごが登録階に移動するよう号機制御装置がかごの動作を制御する。割当かご選択部２６が行う一連の処理は、後述する図６及び図７に示すフローチャートに従って行われる。なお、上述した割当かご選択部２６が、交通情報検出部２３、到着予測時間テーブル作成部２４、及び満員判定部２５の機能を有していてもよい。
【００３４】
また、本実施形態では、乗場呼び発生装置として乗場呼びボタン１０を用いたが、この例に限らない。例えば乗場呼び発生装置として行先階登録装置を用いてもよい。行先階登録装置は、かごのサービス階床となる各階の乗場に設置され、利用者が行先階を入力して呼び登録を行う装置である。利用者が行先階登録装置において呼び登録を行うことにより、乗場呼びと行先階情報が、乗場呼び情報収集部２１に送信される。行先階登録装置には、表示部が設けられており、群管理制御装置２によって割り当てられたかごの号機番号が表示部に表示される。したがって、利用者は、行先階登録装置に、呼び登録をした後は、表示部に表示された号機番号を確認して、その号機番号のかごの前でかごの到着を待つ。
【００３５】
［エレベーター制御装置１の各装置のハードウェア構成］
次に、エレベーター制御装置１の各装置を構成する計算機Ｃのハードウェア構成を説明する。
図２は、計算機Ｃのハードウェア構成例を示すブロック図である。
【００３６】
計算機Ｃは、いわゆるコンピューターとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、不揮発性ストレージＣ５、ネットワークインターフェイスＣ６を備える。
【００３７】
ＣＰＵ Ｃ１は、本実施形態に係る各機能を実現するソフトウェアのプログラムコードをＲＯＭＣ２から読み出して実行する。ＲＡＭ Ｃ３には、演算処理の途中に発生した変数やパラメーター等が一時的に書き込まれる。群管理制御装置２、号機制御装置３１〜３６の動作は、例えば、ＣＰＵＣ１にて実行される。
【００３８】
不揮発性ストレージＣ５としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ５には、ＯＳ（Operating System）、各種のパラメーターの他に、計算機Ｃを機能させるためのプログラムが記録されている。ＲＯＭＣ２、不揮発性ストレージＣ５は、ＣＰＵ Ｃ１が動作するために必要なプログラムやデータ等を記録しており、計算機Ｃによって実行されるプログラムを格納したコンピューター読取可能な非一過性の記録媒体の一例として用いられる。このため、ＲＯＭＣ２、不揮発性ストレージＣ５には、このプログラムが永続的に格納される。到着予測時間テーブル作成部２４により作成及び更新される到着予測時間テーブルは、例えば、不揮発性ストレージＣ５に構築される。
【００３９】
ネットワークインターフェイスＣ６には、例えば、ＮＩＣ（Network Interface Card）等が用いられ、ＬＡＮ（Local Area Network）、専用線等を介して各種のデータを装置間で送受信することが可能である。
【００４０】
［群管理制御装置によるかごの運転例］
図３〜図５は、群管理制御装置２によるかごの運転例を説明するための図である。図３〜図５は、１階から１０階の間でかごの運行が行われる建物において、１号機（かご４１）の運転例を示す。
【００４１】
（かご位置と乗場呼びの例）
図３は、１号機のかご位置と乗場呼びの例を示す説明図である。図３では、かご４１の現在位置は７階フロアであり、かご４１の現在の移動方向（呼び方向）は下方向である状態を示している。
利用者が９階の乗り場に設置してある乗場呼びボタン１０の下ボタンを操作すると、その乗場呼び情報が乗場呼び情報収集部２１に収集され、９階で乗場呼び１０１（下向きの黒塗り三角形）が発生したことと、希望移動方向が下向きであることが検出、登録される。さらに、図３では、乗場呼び１０１が発生した時点で４階及び３階において、既に希望移動方向が下向きの乗場呼び２０１，２０２（下向きの三角形）が発生している。以降の説明において、利用者本人が新規に発生した乗場呼び１０１を「新規呼び」又は「本人呼び」と称し、他人によって既に登録済みの乗場呼び２０１，２０２を「既登録呼び」又は「他人呼び」とも称す。
【００４２】
（予測時間の例）
図４は、到着予測時間テーブルに格納されるかご４１が各階床に到着するまでの予測時間の例を示す説明図である。図４では、説明をわかりやすくするために、隣接する直下の階床及び直下の階への移動時間は、一律で５秒に設定している。図４では、７階に位置するかご４１を予測時間の起点（０秒）とする。かご４１が７階から出発して下方向（ＤＮ）に移動して１階に到着するまでの予測時間は３０秒、その１階で方向転換して上方向（ＵＰ）に移動して１０階に到着するまでの予測時間は７５秒、そして１０階で方向転換して元の７階に戻ってくるまでの予測時間（１周に要する時間）は９０秒である。さらに、２周目の１階に到着するまでの予測時間は１２０秒、１階で方向転換して１０階に到着するまでの予測時間は１６５秒、１０階で方向転換して８階に到着するまでの時間は１７５秒である。
【００４３】
（かごの運転例）
図５は、かご４１の運転例を示す説明図であり、図５Ａは従来のかご４１の運転例を示し、図５Ｂは本発明の一実施形態に係るかご４１の運転例を示す。図５Ａ及び図５Ｂにおいて、かご位置と乗場呼びは図３に示した状況と同じである。
【００４４】
図５Ａに示すように、従来、７階付近を下方向に移動しているかご４１は、４階及び３階で既登録呼び２０１と既登録呼び２０２が登録されていたとしても、かご４１が４階及び３階に到着するときには、かご内が満員状態であるために、かご４１は４階及び３階を通過（満員通過）する。そして、かご４１は、昇降路をほぼ一周して新規呼び１０１が登録された９階に到着及び停止する。このため、４階及び３階の既登録呼び２０１，２０２（図３）の利用者は、一周目でかご４１が通過し、２周目も上層階でかご４１が満員となる場合には、かご４１に乗車することができない。そのため、４階及び３階のような下層階（端階付近）の利用者は、かご４１内の混雑が緩和されるまで長時間待つことになる。例えば、二周目の４階及び３階の予測到着時間は、１０５秒と１１０秒であり、４階及び３階の利用者がかごに乗車できるまでの待ち時間はさらに長くなる。
【００４５】
これに対し、本実施形態では、７階付近を下方向に移動しているかご４１が既登録呼び２０１，２０２がある４階及び３階に到着するときにかご内が満員状態になることが予測される場合には、かご４１は１周目では４階及び３階を満員通過する。ここで、新規呼び１０１のある９階の利用者に別の号機を割り当て、かご４１は９階を通過する。これにより、かご内は混雑度が緩和されるため、かご４１は二周目で４階及び３階に到着するときに満員状態が回避され、既登録呼びの利用者をかご内に乗車させることができる。このように、１号機（かご４１）は既登録呼び２０１，２０２以外の乗場呼びの割当てが抑制され、既登録呼び２０１，２０２を救い、利用者の待ち時間を大幅に短縮することができる。
【００４６】
［新たな乗場呼びをかごに割当てる処理］
以下、群管理制御装置２により行われる複数台のかごの選択処理について説明する。
図６は、新たな乗場呼びを複数台のかごのいずれかに割当てる処理の例を示すフローチャートである。以下の処理では、利用者が乗場呼びボタン１０を使って乗場呼びを登録したとする。
【００４７】
始めに、任意の階床において利用者が乗場呼びボタン１０の上ボタン又は下ボタンを押すと、乗場呼びボタン１０は乗場呼び信号を発生する。乗場呼び情報収集部２１は、乗場呼びボタン１０で発生した乗場呼び信号から乗場呼び情報を収集する（Ｓ１）。乗場呼び情報には、乗場呼びが発生した階床（登録階）と利用者の希望移動方向の情報が含まれる。
【００４８】
また、かご情報収集部２２は、号機制御装置３１〜３３からかご情報を収集する（Ｓ２）。上述したように、かご情報には、例えば、号機制御装置３１〜３３から送信されるかご４１〜４３の位置、移動方向、及び荷重センサー７１〜７３から求められるかご４１〜４３内の利用者の荷重（満員度若しくは混雑度）等のかごの運行状況に関する情報が含まれる。
【００４９】
次いで、交通情報検出部２３は、乗場呼び情報収集部２１で収集された乗場呼び情報と、かご情報収集部２２で収集されたかご４１〜４３のかご情報とから、ビル内の利用者の交通情報を検出する（Ｓ３）。
【００５０】
次いで、到着予測時間テーブル作成部２４は、乗場呼び情報、かご４１〜４３のかご情報、及びビル内の利用者の交通情報に基づいて、到着予測時間テーブル（図４参照）を作成する（Ｓ４）。上述したように、到着予測時間テーブルには、新たな乗場呼びが発生してから各かご４１〜４３が各階床に到着するまでの一周目の予測時間と二周目の予測時間の情報が格納されている。
【００５１】
次いで、満員判定部２５は、かご４１〜４３のかご情報と到着予測時間テーブルに基づいて、かご４１〜４３が乗場呼びの登録階床に到達するときに満員が予測されるか否かを判定し、判定結果を割当かご選択部２６へ送出する（Ｓ５）。
【００５２】
次いで、割当かご選択部２６は、到着予測時間テーブル作成部２４により作成（更新）された到着予測時間テーブルと、満員判定部２５の判定結果に基づいて、号機（かご４１〜４３）毎に割当て評価値を算出する（Ｓ６）。例えば、割当かご選択部２６は、本人待ち時間評価値（新規呼びに対する待ち時間）、エレベーター状態評価値、及び他人待ち時間評価値等に基づいて、号機毎に割当て評価値を算出する。
【００５３】
図中ではｎ号機と一般化して記載しているが、本実施形態では、図１に示したように１〜３号機で識別される３台のエレベーターがあるため、ｎ＝３であり、割当かご選択部２６により３個の割当て評価値が算出される。割当かご選択部２６は、号機毎に求めた各評価値を合算した割当て評価値を算出する。この割当て評価値は、割当かご選択部２６が各評価値を掛けて算出した値でもよい。
【００５４】
本人待ち時間評価値は、現在、かごが移動又は停止している階（位置）から、新規に登録された乗場呼び（新規呼び）の登録階にかごが到着するまでの待ち時間を評価した値である。待ち時間が短ければ待ち時間評価値が小さく、待ち時間が長ければ待ち時間評価値が大きくなる。
【００５５】
エレベーター状態評価値は、かごの減速、ドア開状態等の待ち時間に影響を与える要因を評価した値である。例えば、かごが移動中であったり、ドア閉状態ですぐに動き出せたりする場合にはエレベーター状態評価値が小さくなる。一方、かごが減速又は停止していたり、ドア開状態である場合にはエレベーター状態評価値が大きくなる。なお、エレベーター状態評価値に、かご情報収集部２２で収集されるかごの荷重情報を反映してもよい。例えば、かご内の利用者の荷重からかご内の利用者の人数が多いことが確認できれば、登録階に到着するまでに利用者の降車に時間がかかることが予想されるため、エレベーター状態評価値が大きくなる。
【００５６】
他人待ち時間評価値は、現在、かごが移動又は停止している階から、既に登録された乗場呼び（既登録呼び）の登録階にかごが到着するまでの待ち時間を評価した値である。待ち時間が短ければ待ち時間評価値が小さく、待ち時間が長ければ待ち時間評価値が大きくなる。割当かご選択部２６は、満員判定部２５の判定結果に基づいて、新たな乗場呼びが発生したときにかごが満員通過することが予測される既登録の乗場呼びの登録階床（例えば図５の３階、４階）があると判断した場合には、この他人待ち時間評価値として、かごが二周目で既登録の乗場呼びの登録階床に到着するまでの待ち時間を評価して算出する。この他人待ち時間評価値の算出方法については、図７を参照して詳述する。
【００５７】
ここで、他人待ち時間評価値の算出処理について図７を参照して説明する
図７は、他人待ち時間評価値を算出する処理の例を示すフローチャートである。
【００５８】
始めに、割当かご選択部２６は、乗場呼び情報に基づいて他人呼び（既登録呼び）があるか否かを判定し（Ｓ１１）、他人呼びがない場合には（Ｓ１１のＮＯ）、他人呼びなしの情報を考慮して他人待ち時間評価値を算出する（Ｓ１５）。このステップＳ１５の処理が終了後、図６のステップＳ６の処理に戻る。
【００５９】
次いで、割当かご選択部２６は、他人呼びがある場合には（Ｓ１１のＹＥＳ）、満員判定部２５の判定結果に基づき、他人呼びの登録階は満員通過が予測される階床であるか否かを判定する（Ｓ１２）。ここで、他人呼びの登録階は満員通過が予測される階床である場合には（Ｓ１２のＹＥＳ）、割当かご選択部２６は、到着予測時間テーブルの二周目の予測時間まで考慮して他人待ち時間を計算する（Ｓ１３）。一方、他人呼びの登録階は満員通過が予測される階床ではない場合には（Ｓ１２のＮＯ）、割当かご選択部２６は、到着予測時間テーブルの一周目の予測時間により他人待ち時間を計算する（Ｓ１４）。
【００６０】
そして、ステップＳ１３又はステップＳ１４の処理が終了後、割当かご選択部２６は、計算した他人待ち時間に基づいて他人待ち時間評価値を算出する（Ｓ１５）。このステップＳ１５の処理が終了後、図６のステップＳ６の処理に戻る。
【００６１】
次に、割当かご選択部２６は、号機毎に割当て評価値を比較し、割当て評価値が最小のかごに乗場呼びを割り当てる（Ｓ７）。新たな乗場呼びが発生したときに既登録の乗場呼びの登録階床を満員通過することが予測されるかごがある場合には、割当て評価値に二周目の予測時間が考慮された他人待ち時間評価値が含まれ、割当て評価値が大きくなる。その結果、割当かご選択部２６は、該当かご（本実施形態では１号機）に新たな乗場呼びを割り当てない。そして、割当かご選択部２６は、該当かごとは異なるかご（図３〜図５の場合には２号機又は３号機）に新たな乗場呼びを割り当てる。
【００６２】
そして、割当かご選択部２６は、乗場呼びを割当てたかごに対応する号機制御装置に対して、乗場呼びを割当てたことを示す割当信号を送信する（Ｓ８）。これにより、乗り場呼びが割当てられたかごが、号機制御装置により所定の運行パターンで駆動される。
【００６３】
上述した一実施形態では、割当かご選択部２６は、通常の割当て評価を行う場合には、新規呼びとその新規呼びにより影響を受ける既登録呼びに対する待ち時間を評価する。一方、割当かご選択部２６は、満員通過されることが予測される既登録呼びの登録階が存在する場合には、かごが該当既登録呼びの登録階を通過する前でも、到着予測時間テーブルに登録された二周目の到着予測時間を使用して他人待ち時間評価値を計算する。これにより、本実施形態は、既登録呼びの登録階以外の他の階への新規のかご割当てを抑制し、満員通過された既登録呼びの登録階に優先的にサービス（かご停止）することができる。このように、本実施形態は、新規呼びが発生したときに満員通過が予測される既登録呼びの階床がある場合に、二周目の到着予測時間を使用して計算した他人待ち時間評価値を割当て評価値に反映する。それゆえ、本実施形態は、従来のようにサービス階を分割（急行ゾーンを設定）することなく、満員通過による既登録呼びの登録階の利用者の待ち時間の長期化を抑制することができる。
【００６４】
なお、上述した実施形態において、割当て評価値の中の特定項目の評価値の優先度を高く設定しておき、この特定項目の評価値の大小に基づいて、乗場呼びに割り当てる号機を決定してもよい。例えば、他人待ち時間評価値が最も小さい号機に、乗場呼びを割当てるようにしてもよい。
【００６５】
＜２．変形例＞
なお、上述した一実施形態では、既登録呼びの登録階をかごが満員通過することが予測される場合に、二周目の到着予測時間を使用して他人待ち時間評価値を計算し、割当て評価値に反映するようにしたが、三周目以降の到着予測時間を使用してもよい。例えば到着予測時間テーブルに三周目までの各階床の到着予測時間を登録し、三周目の到着予測時間を使用して他人待ち時間評価値を計算し、割当て評価値に反映するようにしてもよい。これは、例えば上層階に展望台などの人気エリアがあり、上層階から常に多数の利用者が乗り込んだかごが下降してくる場合に有効であり、上層階の利用者の輸送と低層階の利用者の待ち時間のバランスをとることができる。
【００６６】
さらに、本発明は上述した各実施形態例に限られるものではなく、請求の範囲に記載した本発明の要旨を逸脱しない限りにおいて、その他種々の応用例、変形例を取り得ることは勿論である。
【００６７】
例えば、上述した実施形態例は本発明を分かりやすく説明するために装置及びシステムの構成を詳細且つ具体的に説明したものであり、必ずしも説明した全ての構成要素を備えるものに限定されない。また、ある実施形態例の構成の一部を他の実施形態例の構成要素に置き換えることは可能である。また、ある実施形態例の構成に他の実施形態例の構成要素を加えることも可能である。また、各実施形態例の構成の一部について、他の構成要素の追加、削除、置換をすることも可能である。
【００６８】
また、上記の各構成要素、機能、処理部、処理手段等は、それらの一部又は全部を、例えば集積回路の設計などによりハードウェアで実現してもよい。また、上記の各構成要素、機能等は、プロセッサがそれぞれの機能を実現するプログラムを解釈し、実行することによりソフトウェアで実現してもよい。
【符号の説明】
【００６９】
１…エレベーター制御装置、  ２…群管理制御装置、  ３…群管理エレベーターシステム、  １０…乗場呼びボタン、  ２１…乗場呼び情報収集部、  ２２…かご情報収集部、  ２３…交通情報検出部、  ２４…到着時間予測テーブル作成部、  ２５…満員判定部、  ２６…割当かご選択部、  ３１〜３３…号機制御装置、  ４１〜４３…かご、  ７１〜７３…荷重センサー、  １０１…新規呼び（本人呼び）、  ２０１，２０２…既登録呼び（他人呼び）
【図１】
2019111359.tif 000003
【図２】
2019111359.tif 000004
【図３】
2019111359.tif 000005
【図４】
2019111359.tif 000006
【図５】
2019111359.tif 000007
【図６】
2019111359.tif 000008
【図７】
2019111359.tif 000009
【国際調査報告】
2019111359.tif 000010
2019111359.tif 000011
2019111359.tif 000012
2019111359.tif 000013